(57)【要約】【課題】  高速にサムネイル画像を順次表示しながら、所望とする画像を確実に選択できる画像再生装置を提供する。【解決手段】  左ボタン１４または右ボタン１５の押圧を継続するとサムネイル画像が「高速に順次表示される高速選択モードとなる。サムネイル画像の表示が完了したときに、左ボタン１４または右ボタン１５の押圧されていると、次のサムネイル画像の再生処理の開始が指示され、次のサムネイル画像の表示される。再生処理の実行中に押圧しているボタンをはなすと、再生処理が停止されて通常再生モードに移行し、その押圧解除の時点で表示中のサムネイル画像に対応する本画像を表示する。【選択図】        図７
2005236387.tif 000002
【特許請求の範囲】
【請求項１】
標準画像またはサムネイル画像の画像データに対して再生処理を行って表示手段に標準画像またはサムネイル画像を表示し、本画像を表示手段に表示する通常再生モードと、再生する画像を選択するための操作部材の操作が継続されている間に本画像に対応するサムネイル画像を表示手段に順次に表示する高速選択モードとを有し、高速選択モードでの操作部材の操作解除に応答して通常再生モードに移行して本画像を表示手段に表示する画像再生装置において、
高速選択モード時に、サムネイル画像の再生処理の実行中に前記操作部材の操作が解除された場合に、実行中の再生処理を停止させるとともに、通常再生モードに移行し、前記操作部材の操作が解除された時点で表示されているサムネイル画像に対応する本画像の再生処理を行い、本画像を表示手段に表示する再生制御手段を備えたことを特徴とする画像再生装置。
【請求項２】
前記再生制御手段は、サムネイル画像の表示が完了した時点で前記操作部材の操作がされているときに、次のサムネイル画像の再生処理を開始することを特徴とする請求項１記載に画像再生装置。
【請求項３】
前記再生処理は、データ圧縮された画像データを読み出してデータ伸長する伸長回路による処理と、伸長された画像データのデータ形式を変換する変換回路による処理とを含み、前記再生制御手段は、前記伸長回路と変換回路とをリセットするリセット信号を与えて再生処理を停止することを特徴とする請求項１または２記載の画像再生装置。
【請求項４】
前記再生処理は、画像データに対して複数の処理を順次に行い、前記再生制御手段は、サムネイル画像の再生処理中に前記操作部材の操作が解除された場合に、実行中の再生処理の複数の処理のうちの１つの処理が完了した時点で実行中の再生処理を停止させることを特徴とする請求項１または２記載の画像再生装置。
【請求項５】
高速選択モード時には、所定個数のサムネイル画像を前記表示手段に同時に表示するとともに、再生処理が完了する毎にサムネイル画像が表示手段上の特定表示位置に順次に移動するように表示を更新され、前記再生制御手段は、サムネイル画像の再生処理の実行中に前記操作部材の操作が解除された場合に、特定表示位置に表示中のサムネイル画像に対応する本画像を前記表示手段に表示させることを特徴とする請求項１ないし４のいずれか１項に記載の画像再生装置。
【請求項６】
前記再生制御手段は、前記通常再生モード時では、前記前記操作部材が操作される毎に前記表示手段に表示する本画像を順次に表示することを特徴とする請求項１ないし５のいずれか１項に記載の画像再生装置。
【発明の詳細な説明】
【技術分野】
【０００１】
本発明は、画像再生装置に関するものである。
【背景技術】
【０００２】
ＣＣＤイメージセンサ等のイメージセンサで被写体を撮影するデジタルカメラが広く普及している。このようなデジタルカメラでは、メモリカードなどの記録媒体に保存されている撮影済の画像をＬＣＤに表示する再生モードを備えている。再生モードでは、所望とする画像が表示されるまでコマ送りボタンを操作することにより、順次に保存されている画像を表示していく。
【０００３】
しかしながら、撮影された画像のデータ容量が大きく、それを記録媒体から読み出して表示するまでには時間がかかるため、所望とする画像を選択するのに長い時間がかかってしまう。このような不都合を解消するために、画素数の大きな画像（以下、本画像という）に代えて、本画像とともに記録媒体に記録されて、画素数の少ないサムネイル画像を表示することで高速なコマ送りを行い、コマ送り操作が解除された時点でサムネイル画像に対応する本画像をＬＣＤに表示するデジタルカメラが知られている（特許文献１，２）。
【０００４】
特許文献１では、サムネイル画像の表示が完了した時点でコマ送りの操作ボタンの押圧の有無を判定し、押圧されていれば、次のサムネイル画像を再生するための処理を行って表示を行っている。また、特許文献２では、サムネイル画像の表示が完了した直後に所定の待ち時間を設け、この待ち時間中に操作ボタンの押圧が解除され場合には、表示が完了したサムネイル画像に対応する本画像を表示し、待ち時間中にも操作ボタンの押圧が継続されている場合には、次のサムネイル画像を再生するための処理を行って表示を行っている。
【０００５】
【特許文献１】特開２００２−３７４４８２号公報
【特許文献２】特開平１１−１８０４４号公報
【発明の開示】
【発明が解決しようとする課題】
【０００６】
ところで、特許文献１のように、画像の再生を制御した場合には、所望とする本画像に対応するサムネイル画像が表示されたことを操作者が認識して操作ボタンの押圧を解除しても、そのサムネイル画像が表示された時点での判定によって次のサムネイル画像の再生処理行われ、所望とする本画像に対応するサムネイル画像の次のサムネイル画像が表示される。そして、この表示が完了した時点で操作ボタンの押圧が解除されたと判定されるから、所望とする本画像の次の本画像が表示されることになり、必ず１コマ戻す操作が必要になるという不具合があった。
【０００７】
また、特許文献２のように、画像の再生を制御した場合には、サムネイル画像の表示が完了した後に所定の待ち時間があるので、上記のような不具合はないが、待ち時間の分だけ次のサムネイル画像の送り速度が低下してしまうという問題があった。なお、このような問題は、デジタルカメラに限らず、同様な画像再生を行う画像再生装置についても同様にある。
【０００８】
本発明は、上記問題点を考慮してなされたもので、サムネイル画像を高速で順次に表示しながら、所望とする本画像を確実に表示できるように操作性を高くできる画像再生装置を提供することを目的とする。
【課題を解決するための手段】
【０００９】
上記目的を達成するために、請求項１記載の画像再生装置では、操作部材の操作が継続されている間にサムネイル画像を表示手段に順次に表示する高速選択モード時に、サムネイル画像の再生処理の実行中に前記操作部材の操作が解除された場合に、実行中の再生処理を停止させるとともに、通常再生モードに移行し、前記操作部材の操作が解除された時点で表示されているサムネイル画像に対応する本画像の再生処理を行い、本画像を表示手段に表示する再生制御手段を備えたものである。
【００１０】
請求項２記載の画像再生装置では、再生制御手段を、サムネイル画像の表示が完了した時点で前記操作部材の操作がされているときに、次のサムネイル画像の再生処理を開始するようにしたものである。
【００１１】
請求項３記載に画像再生装置では、再生処理は、データ圧縮された画像データを読み出してデータ伸長する伸長回路による処理と、伸長された画像データのデータ形式を変換する変換回路による処理とを含み、前記再生制御手段は、前記伸長回路と変換回路とをリセットするリセット信号を与えて再生処理を停止するものである。
【００１２】
請求項４記載の画像再生装置では、再生処理は、画像データに対して複数の処理を順次に行い、前記再生制御手段は、サムネイル画像の再生処理中に前記操作部材の操作が解除された場合に、実行中の再生処理の複数の処理のうちの１つの処理が完了した時点で実行中の再生処理を停止させるものである。
【００１３】
請求項５記載の画像再生装置では、高速選択モード時には、所定個数のサムネイル画像を前記表示手段に同時に表示するとともに、再生処理が完了する毎にサムネイル画像が表示手段上の特定表示位置に順次に移動するように表示を更新され、前記再生制御手段は、サムネイル画像の再生処理の実行中に前記操作部材の操作が解除された場合に、特定表示位置に表示中のサムネイル画像に対応する本画像を前記表示手段に表示させるものである。
【００１４】
請求項６記載の画像再生装置では、再生制御手段は、前記通常再生モード時では、前記前記操作部材が操作される毎に前記表示手段に表示する本画像を順次に表示するものである。
【発明の効果】
【００１５】
本発明によれば、再生準備処理の実行中に指示部材の操作が解除されたときに、その再生準備処理を停止させ、その時点で表示中のサムネイル画像に対応した本画像を表示させるので、所望とする本画像に対応するサムネイル画像が表示されているときに、指示部材の操作を解除することで、その所望とする本画像が表示されるので、本画像を高速にしかも確実に選択再生できる。
【発明を実施するための最良の形態】
【００１６】
本発明を実施したデジタルカメラの正面を図１に、背面を図２にそれぞれ示す。カメラ本体２の前面には、撮影レンズ３，レリーズボタン４，ストロボ発光部５が配されている。また、背面には、電源をオン・オフするための電源ボタン６と撮影モードと再生モードを切り換えるためのモード切替ボタン７とカーソルキー８とからなる操作部１０、及びＬＣＤ１１（液晶ディスプレイ）が設けられている。
【００１７】
カーソルキー１０は、上下左右の各ボタン１２〜１５と、決定ボタン１６とから構成されており、これらを操作することによって、デジタルカメラの各種の機能設定を行うことができる。また、再生モード下では、左ボタン１４，右ボタン１５を操作することにより、再生する画像を選択することができる。
【００１８】
ＬＣＤ１１は、撮影レンズ３を通して撮影される被写体画像をリアルタイムで表示するいわゆる電子ビューファインダとして機能するとともに、撮影済の画像を表示する再生用の表示装置として用いられる。
【００１９】
撮影モード下でレリーズボタン４を押圧操作することにより、撮影レンズ３を通して静止画の撮影が行われる。この撮影の際に、被写体輝度が所定レベル以下のときに、ストロボ発光部５からストロボ光が被写体に向けて照射される。カメラ本体２には、メモリスロット（図示せず）が設けられている。このメモリスロットに装着されたメモリーカード１７（図４参照）に静止画が保存される。撮影された静止画は、そのデータを含む画像ファイルとしてメモリカード１７に記録される。
【００２０】
図３に示すように、画像ファイルは、ヘッダ，本画像，サムネイル画像の各データから構成される。ヘッダは、ファイル名、撮影日などの画像に関する情報を示すものである。本画像は、撮影により得られた例えば１０２４×７６８ピクセルの静止画であり、サムネイル画像は、本画像の画素を間引くことで比較的に小さなピクセル数、例えば８０×６０ピクセルで作成された縮小画像である。本画像の画像データ及びサムネイル画像の画像データは、所定の圧縮形式（例えばＪＰＥＧ形式）でデータ圧縮された圧縮画像データで記録される。
【００２１】
再生モードでは、左ボタン１４，右ボタン１５のいずれか一方を押圧操作する毎に、本画像が1 つずつ順番にＬＣＤ１１に表示される通常再生モードと、左ボタン１４，右ボタン１５のいずれか一方の押圧を継続することによりサムネイル画像がＬＣＤ１１に順次に表示される高速選択モードとがある。通常再生モードと高速選択モードとは、左ボタン１４，右ボタン１５の操作状態により自動的にの切り換えられる。
【００２２】
再生モードに移行したときには通常再生モードとされる。通常再生モード下で左ボタン１４を１回押圧した場合には、図４に一例を示すように、その時点でＬＣＤ１１に表示中の本画像１８の１つ前の画像ファイルが選択され、その選択された画像ファイル中の本画像１９がＬＣＤ１１表示される。また、右ボタン１５を１回押圧した場合には、その時点で表示中の本画像の１つ次の画像ファイル中の本画像がＬＣＤ１１表示される。
【００２３】
このように通常再生モードでは、左ボタン１４を一回押す毎に、撮影順と逆方向に１つずつ、また右ボタン１５を一回押す毎に撮影順に1 つずつ本画像が再生されてＬＣＤ１１に表示される。
【００２４】
再生モード下で左ボタン１４または右ボタン１５を押圧し続けた際には、通常再生モードから高速選択モードに移行する。高速選択モードに移行すると、図５（ａ）に示すように、ＬＣＤ１１に表示中の本画像１８に対応したサムネイル画像１８ａが表示される。この後には、押圧しているボタンに応じて、例えば左ボタン１４を押圧しているときでは、撮影順と逆方向に１つずつ順番にサムネイル画像が高速に順次表示される。右ボタン１５を押圧しているときでは、撮影順に１つずつ順番にサムネイル画像が高速に再生表示される。
【００２５】
左ボタン１４または右ボタン１５の押圧を解除すると、高速選択モードが解除されて通常再生モードとなり、図５（ｂ）に示すように、その押圧解除時点で表示中のサムネイル画像２０ａに対応する本画像２０が表示される。なお、サムネイル画像を拡大してＬＣＤ１１に表示してもよい。
【００２６】
図６に上記デジタルカメラの構成を示す。メインＣＰＵ２１は、各種シーケンスを実行するためのプログラムやパラメータが書き込まれたＲＯＭ２１ａと、シーケンスを実行する際に必要なデータを一時的に記憶するワークメモリとして利用されるＲＡＭ２１ｂが接続されている。このメインＣＰＵ２１は、ＲＯＭ２１ａのプログラムにしたがい、レリーズボタン４，操作部１０からの操作信号の入力に応じて各部を制御する。サブＣＰＵ２２は、メインＣＰＵ２１との間で通信を行い、撮影系２３の各部を制御する。
【００２７】
撮影系２３は、撮影レンズ３やＣＣＤイメージセンサ２４等から構成される。撮影レンズ３には、絞り装置２５が組み込まれている。撮影レンズ３は主要被写体にピントが合致するように駆動され、絞り装置２５はＣＣＤイメージセンサ２４への入射光量を調節する。
【００２８】
ＣＣＤイメージセンサ２４は、撮影レンズ３の背後に配置されている。このＣＣＤイメージセンサ２４は、クロック発生回路（ＣＧ）２６からのタイミング信号に基づいて電荷蓄積，電荷の転送などを行い、光学的な被写体画像を電気的な信号に変換したＣＣＤ−ＲＡＷ信号を出力する。なお、ＣＣＤイメージセンサ２４の代わりにＭＯＳ型のイメージセンサなどを用いてもよい。
【００２９】
ＣＣＤイメージセンサ２４からのＣＣＤ−ＲＡＷ信号は、ＷＢ・γ処理回路２７に送られる。このＷＢ・γ処理回路２７は、ＣＣＤ−ＲＡＷ信号に対して、撮影光源に応じたホワイトバランスの調節やγ補正を行う。ＷＢ・γ処理回路２７で処理されたＣＣＤ−ＲＡＷ信号は、Ａ／Ｄ変換器２８でＣＣＤ−ＲＡＷデータにデジタル変換される。ＷＢ・γ処理回路２７，Ａ／Ｄ変換器２８は、クロック発生回路２６からのタイミング信号が入力されており、ＣＣＤイメージセンサ２４の出力動作と同期して動作する。ＣＣＤ−ＲＡＷデータは、バファメモリ２９に書き込まれる。
【００３０】
ストロボ装置３０は、被写体輝度が所定レベル以下のときの静止画の撮影の際に、サブＣＰＵ２２からの発光指令によりストロボ発光を行う。このストロボ光は、前述のストロボ発光部５から被写体に向けて照射される。
【００３１】
バス３２には、メインＣＰＵ２１，ＹＣ処理回路３３，圧縮伸長回路３５，ＲＧＢ変換回路３６，通信制御部３７が接続されており、これら各部はバス３２を介して相互間でデータの授受を行う。ＹＣ処理回路３３は、バッファメモリ２９に書き込まれたＣＣＤ−ＲＡＷデータを読み出し、これを輝度Ｙ，各色差Ｃｒ，Ｃｂの画像データに変換する。
【００３２】
静止画の撮影時では、ＹＣ処理回路３３で変換された画像データはバッファメモリ２９に書き込まれる。メインＣＰＵ２１は、バッファメモリ２９に書き込まれた画像データを用いてサムネイル画像の画像データを作成し、バッファメモリ２９に書き込むまた、このときには、ヘッダデータも作成して、バッファメモリ２９に書き込む。なお、動画の撮影時では、ＹＣ処理回路３３で変換された画像データは、ＲＧＢ変換回路３６に送られる。
【００３３】
圧縮伸長回路３５は、静止画の撮影時に、バッファメモリ２９に書き込まれているヘッダデータと本画像及びサムネイル画像の各画像データをそれぞれ読み出し、このうちの各画像データにデータ圧縮処理を施して、各画像の圧縮画像データを作成する。圧縮伸長回路３５は、ヘッダデータと各圧縮画像データを１つの画像ファイルとして、インタフェース回路（Ｉ／Ｆ）３８を介してメモリカード１７に書き込む。
【００３４】
再生モード下では、圧縮伸長回路３５は、インタフェース回路３８を介してメモリカード１７から圧縮画像データを読み出す。通常再生モードでは本画像の圧縮画像データが読み出され、高速選択モードではサムネイル画像の圧縮画像データが読み出される。圧縮伸長回路３５は、読み出した圧縮画像データに対してを伸長処理を行い、得られる輝度Ｙ，各色差Ｃｒ，Ｃｂの画像データをＲＧＢ変換回路３６に送る。
【００３５】
ＲＧＢ変換回路３６は、輝度Ｙ，各色差Ｃｒ，Ｃｂの画像データを、ＬＣＤ１１を駆動するために赤色，緑色の青色の駆動画像データに変換するＲＧＢ変換処理を行う。駆動画像データは、ドライバ４１に送られる。
【００３６】
ドライバ４１は、ＶＲＡＭ４１ａを備えており、このＶＲＡＭ４１ａにＲＧＢ変換回路３６からの駆動画像データが書き込まれる。このドライバ４１は、ＶＲＡＭ４１ａから読み出した駆動画像データに基づいてＬＣＤ１１を駆動する。これにより、ＬＣＤ１１には、撮影モード下ではＣＣＤイメージ２２で撮影中の被写体画像が動画で表示され、通常再生モードではメモリカード１７に保存されている本画像が表示され、高速選択モードでは本画像とともに保存されているサムネイル画像が表示される。
【００３７】
通信制御部３７は、図示しない外部機器用のインタフェースを介してパーソナルコンピュータなどの外部機器と接続され、外部機器からメモリカード１７へのアクセスを可能とする。
【００３８】
再生制御手段としてのメインＣＰＵ２１は、高速選択モード下でサムネイル画像の表示が完了した時点で左ボタン１４または右ボタン１５が押圧されている否かの判定を行う。そして、押圧されている場合には、次のサムネイル画像の再生処理の開始を指示する。この指示により、圧縮伸長回路３５による次のサムネイル画像に対する、圧縮画像データの読み出し及び伸長処理、ＲＧＢ変換回路４１によるＲＧＢ変換処理、ドライバ４１によるＬＣＤ１１での表示からなる一連の再生処理が行われる。サムネイル画像の表示が完了した時点で、この一連の再生処理が完了する。
【００３９】
高速選択モード下での再生処理の実行中には、メインＣＰＵ２１は、押圧されている左ボタン１４または右ボタン１５の押圧の解除を判定している。例えば、再生処理の実行中に適当な周期で、左ボタン１４または右ボタン１５に対応する操作信号の入力の有無で判定を割り込み処理を行う。この再生処理の実行中の判定により押圧解除を検知した場合に、再生処理を停止させるとともに、通常再生モードに移行し、その押圧解除の時点で表示中のサムネイル画像、すなわち前回の再生処理で表示されたサムネイル画像に対応する本画像を表示させる。なお、次のサムネイル画像がＬＣＤ１１に表示されつつあるときに、左ボタン１４または右ボタン１５の押圧が解除された場合でも、すでに表示が完了しているサムネイル画像を押圧解除の時点で表示中のサムネイル画像とする。
【００４０】
この例では、メインＣＰＵ２１は、圧縮伸長回路３５とＲＧＢ変換回路３６とにリセット信号を送って、圧縮画像データの読み出し，伸長処理、ＲＧＢ変換処理を中止されることで再生処理を停止させる。
【００４１】
次に上記構成の作用について説明する。撮影モードでとすると、従来のデジタルカメラと同様に、ＣＣＤイメージセンサ２４による動画の撮影が開始され、撮影された被写体画像はＣＣＤ−ＲＡＷ信号として出力される。そして、このＣＣＤ−ＲＡＷ信号がＷＢ・γ処理回路２７，Ａ／Ｄ変換器２８，ＹＣ処理回路３３，ＲＧＢ変換回路３６で各処理が施されて駆動画像データに変換される。そして、この駆動画像データがドライバ４１に送られる。ＣＣＤイメージセンサ２４による撮影は繰り返し行われ、得られる駆動画像データが次々にドライバ４１に入力されるから、ＬＣＤ１１に撮影中の被写体画像が動画で表示される。
【００４２】
撮影モード下でレリーズボタン４を押圧操作すると、ＣＣＤイメージ２４によって１フレーム分の静止画の撮影が行われる。そして、このときにＷＢ・γ処理回路２７，Ａ／Ｄ変換器２８，ＹＣ処理回路３３を介して得られる輝度Ｙ，各色差Ｃｒ，Ｃｂの画像データがバッファメモリ２９に書き込まれる。
【００４３】
上記のようにして静止画（本画像）の画像データの書き込みが完了すると、メインＣＰＵ２１によって、バッファメモリ２９がアクセスされ、本画像の画像データからサムネイル画像の画像データが作成される。そして、このサムネイル画像の画像データと、メインＣＰＵ２１で生成されたヘッダデータがバッファメモリ２９に書き込まれる．
【００４４】
この後に、圧縮伸長回路３５がバッファメモリ２９にアクセスし、本画像とサムネイル画像の各画像データをデータ圧縮して、各画像の圧縮画像データを作成する。そして、インタフェース回路３８を介して、作成した各圧縮画像データとヘッダデータとを１つの画像ファイルとしてメモリカード１７に記録する。上記と同じ手順により、レリーズボタン４が押圧操作される毎に、メモリカード１７には、画像ファイルが１個ずつ記録される。
【００４５】
上記のようにしてメモリカード１７に記録された本画像を再生する場合には、操作部１０を操作して再生モードを指示する。図７に再生モードでの処理手順を示すように、再生モードに移行すると、通常再生モードとされる（ステップＳ１）。また、メモリカード１７から最後に撮影された本画像の圧縮画像データが読み出されてＬＣＤ１１にその本画像が表示される（ステップＳ２）。この本画像の表示後に、左ボタン１４，右ボタン１５のいずれかが押圧されたか否か判定する処理が行われる（ステップＳ３）。
【００４６】
例えば、左ボタン１４，右ボタン１５のいずれもが押圧されていない場合には、高速選択モードであるか否かが調べられる（ステップＳ４）。この場合には、通常再生モードであるので（ステップＳ４，ＮＯ）、再びステップＳ３の処理に戻る。したがって、通常再生モードで左ボタン１４，右ボタン１５のいずれもを押圧しなければ、ステップＳ３，ステップＳ４の処理が繰り返し行われる。
【００４７】
通常再生モードで、例えば左ボタン１４が一回押圧された場合（ステップＳ３，ＹＥＳ）では、その押圧が継続されているものであるか否かが判定される（ステップＳ５）。ここで、左ボタン１４の押圧操作が一回の押圧であり、ごく短時間のものであるので（ステップ５，ＮＯ）、ステップＳ６で現在表示中の本画像の１つ前の本画像が表示される。
【００４８】
なお、左ボタン１４または右ボタン１５の押圧が継続されているものであるか否かを判断するには、例えば適当な周期で割り込み処理を繰り返し実行してボタンの押圧状態を検出し、所定の回数だけ連続して一方のボタンが押圧されているときに、押圧が継続されていると判断すればよい。
【００４９】
ステップＳ６での本画像の表示は、メインＣＰＵ２１によって再生処理の開始の指示で行われる。この指示で現在表示中の本画像の１つ前の本画像に対するメモリカード１７上の画像ファイルが選択され、その画像ファイルから本画像の圧縮画像データがインターフェース回路３８を介して圧縮伸長回路３５によって読み出される。そして、この圧縮伸長回路３５によって圧縮画像データに伸長処理が施され、得られる画像データがＲＧＢ変換回路３６に送られる。
【００５０】
ＲＧＢ変換回路３６に送られた画像データは、このＲＧＢ変換回路３６で駆動画像データに変換され、ドライバ４１のＶＲＡＭ４１ａに書き込まれる。このときに、新たな駆動画像データは、それまでＶＲＡＭ４１ａに書き込まれていた駆動画像データに上書きされる。このようにＶＲＡＭ４１ａに新たな駆動画像データが書き込まれることによって、ＬＣＤ１１には、先に表示されていた本画像の１つ前の本画像が表示され、表示が完了した時点で、この本画像に対する再生処理が完了する。
【００５１】
上記のようにして本画像の表示が完了すると、ステップＳ３に戻る。したがって、左ボタン１４を一回押圧する毎に１つ前の本画像がＬＣＤ１１に順次に表示される。なお、左ボタン１４に代えて右ボタン１５を押圧した場合には、その時点で表示中の本画像の１つ次の本画像が表示される。また、本画像の再生処理を開始を指示した時点でステップＳ３に戻るようにしてもよい。
【００５２】
上記のような通常再生モード下で左ボタン１４，右ボタン１５のいずれか一方の押圧操作を所定の時間だけ継続した場合（ステップＳ５，ＹＥＳ）には、高速選択モードであるか否かが判別される（ステップＳ７）。この場合には、通常再生モードであるので（ステップＳ７，ＮＯ）、高速選択モードに移行するとともに、それまで表示されていた本画像に対応するサムネイル画像の再生処理が指示される（ステップＳ８，ステップＳ９）。
【００５３】
メインＣＰＵ２１による再生処理の開始の指示により、現在表示中の本画像のに対するメモリカード１７上の画像ファイルが選択され、その画像ファイルからサムネイル画像の圧縮画像データが圧縮伸長回路３５で読み出される。そして、前述の本画像の再生処理と同じく、圧縮伸長回路３５での伸長処理，ＲＧＢ変換回路３６でのＲＧＢ変換処理が施され、得られる駆動画像データがＶＲＡＭ４１ａに書き込まれる。これにより、それまで表示されていた本画像に対応するサムネイル画像がＬＣＤ１１に表示される。そして、サムネイル画像の表示が完了した時点で、このサムネイル画像の再生処理が完了する。
【００５４】
上記のように高速選択モードに移行し、またサムネイル画像の再生処理の開始を指示の後にステップＳ３に戻る。そして、高速選択モードへの移行後、左ボタン１４，右ボタン１５のいずれか一方の押圧操作を継続している場合（ステップＳ３，Ｓ５，Ｓ７，ＹＥＳ）、サムネイル画像の再生処理中であるか否かを判断する（ステップＳ１０）。
【００５５】
ステップＳ９での指示で開始された再生処理が完了していない場合には、上記のステップＳ３からステップＳ１０に至るまでの処理が繰り返し行われる。そして、再生処理が完了すると（ステップＳ１０，ＹＥＳ）、再びサムネイル画像の再生処理の開始がメインＣＰＵ２１によって指示される（ステップＳ１１）。このときに、左ボタン１４が押圧されているときには、その時点で表示中の１つ前のサムネイル画像を、右ボタン１５が押圧されているときには、１つ次のサムネイル画像を表示するように再生処理が指示される。この指示により、指示されたサムネイル画像に対する再生処理が開始され、上記と同じ手順によりサムネイル画像がＬＣＤ１１に表示される。
【００５６】
また、上記のようにサムネイル画像の再生処理の開始を指示の後には、再生処理の完了を待たずに再びステップ３に戻るから、左ボタン１４または右ボタン１５の押圧が継続されている場合では、ステップＳ９の処理が繰り返し行われ、再生処理が完了すると再生処理の開始が指示される。これにより、左ボタン１４または右ボタン１５の押圧が継続されている間には、メモリカード１７に記録されているサムネイル画像が順次に表示される。
【００５７】
上記のようにサムネイル画像が順次に表示されているときに、押圧操作を継続している左ボタン１４または右ボタン１５の押圧を解除すると、ステップＳ３からステップＳ４に処理が移る。そして、このときには高速選択モードであるから、圧縮伸長回路３５及びデータ変換回路３６にリセット信号が送られる（ステップＳ１２）。
【００５８】
リセット信号が入力されることにより、実行中の再生処理が停止される。この後に、通常再生モードに移行するとともに、前回に再生処理を行ったサムネイル画像、すなわち押圧操作が解除された時点で表示中であったサムネイル画像に対応する本画像の表示される（ステップＳ１３，Ｓ１４）。
【００５９】
結果として、サムネイル画像に対する再生処理中に、左ボタン１４または右ボタン１５の押圧が解除されると、押圧操作が解除された時点で表示中であったサムネイル画像に対応する本画像の表示が行われる。
【００６０】
以上のように、サムネイル画像の表示が完了した時点で次のサムネイル画像の再生を開始するので、サムネイル画像を高速に順次に表示できる。また、再生処理中にも左ボタン１４または右ボタン１５の押圧状態を監視して、押圧操作を解除した時点で実行中の再生処理を停止して、その時点で表示されていたサムネイル画像に対応する本画像を表示するので、高速選択モードから所望とする本画像を正確に表示させることができる。
【００６１】
図８及び図９は、サムネイル画像の再生処理中に操作部材の操作が解除された場合に、実行中の再生処理のいずれかの１つの処理が完了した時点で再生処理を停止させる例を示すものである。なお、デジタルカメラの構成及び各部の機能は、以下に説明する他は、上記実施形態と同様であるから図示を省略し、実質的に同じ部材には同一の符号を付して説明する。
【００６２】
この例では、高速選択モード下では、メインＣＰＵ２１は、ステップＳ２１での再生処理指示としては、図９に示されるように、サムネイル画像の圧縮画像データを読み込み処理、圧縮画像データの伸長処理、ＲＧＢ変換処理を実行させる指示を選択的に１つ与える。
【００６３】
具体的には、１つのサムネイル画像については、１回目にステップＳ２１を実行した際に、圧縮伸長回路３５に対してサムネイル画像の圧縮画像データを読み込む指示が与えられる。そして、圧縮伸長回路３５に対する伸長処理の指示は、圧縮画像データの読み込みが終了してからステップＳ２１が実行されたときに与えられ、伸長処理が終了してからステップＳ２１が実行されときにデータ変換回路３６にＲＧＢ変換処理の指示が与えられる。
【００６４】
そして、高速選択モード下で、左ボタン１４または右ボタン１５の押圧が解除されると（ステップＳ２２，ＮＯ）、ステップＳ２３〜Ｓ２８によって、再生処圧縮画像データの読み込み処理、伸長処理、ＲＧＢ変換処理のうちのいずれが実行中であるかが調べられて、実行中である処理が完了した時点で高速選択モードから通常再生モードに移行し、その時点で表示中であったサムネイル画像に対応する本画像を表示する。このようにしても、上記実施形態と同様な効果が得られる。
【００６５】
図１０は、サムネイル画像を同時に複数個表示する例を示すものである。この例では、左ボタン１４または右ボタン１５を押圧し続けて、高速画像選択モードに移行すると、図１０（ａ）に示すように、それまで表示されていた本画像５５に３個のサムネイル画像５４ａ，５５ａ，５６ａがはめ込み合成された状態で表示される。サムネイル画像５５ａは、それまで表示されていた本画像５５に対応したものであり、３個のサムネイル画像の中央に表示される。また、サムネイル画像５４ａは、サムネイル画像５５ａの１つ前のものであり、サムネイル画像５６ａは、サムネイル画像５５ａの１つ次のものである。
【００６６】
３個のサムネイル画像５４ａ，５５ａ，５６ａがＬＣＤ１１に表示が完了した時点で、同じボタンが押圧されているときに、次のサムネイル画像の再生処理の開始が指示される。例えば、右ボタン１５が押されたままの場合には、右端のサムネイル画像５６ａの１つ次のサムネイル画像５７ａの再生処理の開始が指示される。
【００６７】
これにより、サムネイル画像５７ａの圧縮画像データがメモリカード１７から読み出されて、伸長処理，ＲＧＢ変換が行われる。次に、3 個のサムネイル画像５４ａ，５５ａ，５６ａのうちの左端のサムネイル画像５４ａの駆動画像データがＶＲＡＭ４１ａから消去され、残る２つのサムネイル画像５５ａ，５６ａの駆動画像データがＶＲＡＭ４１ａ上で左側にシフトされる。そして、サムネイル画像５６ａがあったＶＲＡＭ４１ａ上の右端の位置に次のサムネイル画像５７ａの駆動画像データが書き込まれる。このようにして駆動画像データが更新されることにより、図１０（ｂ）のように、新たなサムネイル画像５７ａを右端に追加した新しい3 個のサムネイル画像５５ａ，５６ａ，５７ａがＬＣＤ１１に表示される。
【００６８】
新しい１個のサムネイル画像５７ａを含む３個のサムネイル画像がＬＣＤ１１に表示された時点で、再度同じボタンが押されている場合には、前述した手順が繰り返される。これにより、１つずつ左方向にスクロールしながら新たなサムネイル画像が表示される。なお、右ボタン１５が押されたままのときには、スクロール方向が逆となる。
【００６９】
また、再生処理中に、押されていたボタンの押圧が解除されると、その時点で実行中の再生処理が停止される。特定表示位置となる中央の位置には、枠６０が表示されており、高速選択モードから通常再生モードに移行する際には、この中央位置に表示されているサムネイル画像に対応する本画像がＬＣＤ１１に表示される。
【００７０】
図１０（ｃ）に示すように、所望のサムネイル画像５７ａが、枠５９で囲まれた中央位置に表示されたならば、押していたボタンを離す。このようにボタンを操作すると、中央の位置に所望のサムネイル画像５７ａが表示された時点では、ボタンが押圧されているために、次にＬＣＤ１１の右端または左端に追加されるサムネイル画像５８ａの再生処理が開始される。しかし、この再生処理の実行中にボタンの押圧が解除が検出されて、その再生処理が停止され、通常再生モードに移行する。そして、図１０（ｄ）に示すように、特定表示位置に表示されていたサムネイル画像５７ａに対応する本画像５７が表示される。
【００７１】
上記各実施形態では、デジタルカメラについて説明したが、これに限られるものではなく、サムネイル画像で画像を選択して本画像を表示する各種の画像再生装置に用いることができる。また、表示手段として外部モニタを接続する画像再生装置にも利用できる。また、サムネイル画像及び本画像のデータが圧縮されていなくてもよい。
【図面の簡単な説明】
【００７２】
【図１】本発明を実施したデジタルスチルカメラの正面側を示す説明図である。
【図２】デジタルスチルカメラの背面側を示す説明図である。
【図３】メモリカードに記録される画像ファイルのデータを示す説明図である。
【図４】通常再生モード下での再生状態を示す説明図である。
【図５】高速選択モード下での再生状態を示す説明図である。
【図６】デジタルスチルカメラの構成を示すブロック図である。
【図７】再生モードでの処理手順を示すフローチャートである。
【図８】再生処理の複数の処理のうち１つの処理が完了した時点で再生処理を停止させる例を示すものである。
【図９】図８に示す例において再生処理の指示を与える手順を示すフローチャートである。
【図１０】複数個のサムネイル画像を表示する例を示すものである。
【符号の説明】
【００７３】
１０  操作部
１１  ＬＣＤ
２１  メインＣＰＵ
３５  圧縮伸長回路
３６  ＲＧＢ変換回路
【図１】
2005236387.tif 000003
【図２】
2005236387.tif 000004
【図３】
2005236387.tif 000005
【図４】
2005236387.tif 000006
【図５】
2005236387.tif 000007
【図６】
2005236387.tif 000008
【図７】
2005236387.tif 000009
【図８】
2005236387.tif 000010
【図９】
2005236387.tif 000011
【図１０】
2005236387.tif 000012